(57)【要約】【課題】共押し出し式ブロー成形法で製造された容器であって、十分な硬さの外側容器と容易に変形可能な内側バッグとからなり、内側バッグは、余剰の材料がブロー金型の底部で圧搾切除される際に底部溶着継ぎ目で閉じられ、前記底部溶着継ぎ目は、同様に閉じられた外側容器の底部溶着継ぎ目にクランプされ、この底部溶着継ぎ目には、両サイドに少なくとも1つの圧力補正開口部が形成され、外側容器部に形成された圧力補正開口部は全て、その容器の底部溶着継ぎ目および縦中心軸を通って広がる平面と、外側容器および内側バッグの周壁との交線から周方向にずれており、容器内容物を分注する際に、内側バッグが二サイドからのみ収縮するようにすること。【解決手段】内側バッグの壁厚を、交線領域において、その間の周部位より大きい容器とすること。【選択図】図１
2013529580.tif 000002
【特許請求の範囲】
【請求項１】
共押し出し式ブロー成形法で製造された容器であって、十分な硬さの外側容器と容易に変形可能な内側バッグとからなり、それら外側容器と内側バッグは、互いに溶着継ぎ目を作らない、それぞれ異なる熱可塑性材料で形成され、外側容器壁は、容器開口部と、内側バッグを収縮させる際に、外側容器および内側バッグの間に存在する空間内で圧力を補正するための少なくとも2つの圧力補正開口部と、を有し、内側バッグは、余剰の材料がブロー金型の底部で圧搾切除される際に底部溶着継ぎ目で閉じられ、前記底部溶着継ぎ目は、同様に閉じられた外側容器の底部溶着継ぎ目にクランプされ、この底部溶着継ぎ目には、両サイドに少なくとも1つの圧力補正開口部が形成され、外側容器部に形成された圧力補正開口部は全て、その容器の底部溶着継ぎ目および縦中心軸を通って広がる平面と、外側容器および内側バッグの周壁との交線から周方向にずれており、容器内容物を分注する際に、内側バッグが二サイドからのみ収縮するようにした容器において、
その内側バッグ（６）の壁厚が、交線間の周部位よりその交線領域（１０）においてより厚くなるように形成されることを特徴とする容器。
【請求項２】
その交線（１０）の両サイドの壁厚が、あらかじめ定めた周域に亘って実質的に一定であり、かつその後連続的に、もしくは急激に減じられることを特徴とする、請求項１に記載の容器。
【請求項３】
その壁厚が、交線（１０）より連続的に減厚されることを特徴とする、請求項１に記載の容器。
【請求項４】
共押し出し式ブロー成形法で製造された容器であって、十分な硬さの外側容器と容易に変形可能な内側バッグとからなり、それら外側容器と内側バッグは、互いに溶着継ぎ目を作らない、それぞれ異なる熱可塑性材料で形成され、外側容器壁は、容器開口部と、内側バッグを収縮させる際に、外側容器および内側バッグの間に存在する空間内で圧力を補正するための少なくとも2つの圧力補正開口部と、を有し、内側バッグは、余剰の材料がブロー金型の底部で圧搾切除される際に底部溶着継ぎ目で閉じられ、前記底部溶着継ぎ目は、同様に閉じられた外側容器の底部溶着継ぎ目にクランプされ、この底部溶着継ぎ目には、両サイドに少なくとも1つの圧力補正開口部が形成され、外側容器部に形成された圧力補正開口部は全て、その容器の底部溶着継ぎ目および縦中心軸を通って広がる平面と、外側容器および内側バッグの周壁との交線から周方向にずれており、容器内容物を分注する際に、内側バッグが二サイドからのみ収縮するようにした容器において、
その内側バッグ（４）が、その周の少なくとも４部にリブ様の厚肉化部分（９）を有し、前記リブ様厚肉化部分（９）を、その平面に対して対称に対をなして配置することを特徴とする容器
【請求項５】
その厚肉化部分（９）が、その平面から等距離にあることを特徴とする請求項４に記載の容器
【請求項６】
その外側容器が、透明な材料よりなることを特徴とする、請求項１乃至５のいずれか１つに記載の容器。
【請求項７】
少なくとも１つの圧力補正開口部が、その交線から略９０°ずれて形成されることを特徴とする、請求項１に記載の容器
【発明の詳細な説明】
【技術分野】
【０００１】
本発明は、共押し出し式ブロー成形法で製造された容器であって、十分な硬さの外側容器と容易に変形可能な内側バッグとからなり、それら外側容器と内側バッグは、互いに溶着継ぎ目を作らない、それぞれ異なる熱可塑性材料で形成され、外側容器壁は、容器開口部と、内側バッグを収縮させる際に外側容器および内側バッグの間に存在する空間内で圧力を補正するための少なくとも2つの圧力補正開口部と、を有し、内側バッグは、余剰の材料がブロー金型の底部で圧搾切除される際に底部溶着継ぎ目で閉じられ、前記底部溶着継ぎ目は、同様に閉じられた外側容器の底部溶着継ぎ目にクランプされ、この底部溶着継ぎ目には、両サイドに少なくとも１つの圧力補正開口部が形成され、外側容器部に形成された圧力補正開口部は全て、その容器の底部溶着継ぎ目および縦中心軸を通って広がる平面と、外側容器および内側バッグの周壁との交線から周方向にずれており、容器内容物を分注する際に、内側バッグが二サイドからのみ収縮するようにした容器に関するものである。
【背景技術】
【０００２】
かかる種類の容器は、欧州特許０９１２４２０号で公知である。容器の内容物を、たとえばポンプを使用して分注する際に、その内側バッグの容積が減少し、容器の周囲から内側バッグおよび外側容器の間の空間に、圧力を補正するために空気が入り込む。内側バッグは、向かい合った二部位が外側容器の壁から持ち上がるが、その中心は、その容器の底部溶着継ぎ目および縦中心軸を通って広がる平面と、外側容器周壁との交線から略９０°ずれており、つまり、内側バッグは、収縮する際に両サイドが圧縮されて徐々に扁平となり、理想的な場合には、収縮していわゆる「イヌの骨形（ｄｏｇ  ｂｏｎｅ  ｆｏｒｍ）」となる。
【０００３】
しかしながら、その向かい合った二部位は外側容器から不均一な様態で離脱することがあり、ここで前記離脱工程は、常に一サイドから始まり、遅れて他のサイドが離脱することが知られている。その二サイドは外側容器からバラバラに離脱し、それによって共に扁平な形に潰れる際に、内側バッグには容器内容物の相当量が残存して吐出不能となることがある。
【先行技術文献】
【特許文献】
【０００４】
【特許文献１】欧州特許０９１２４２０号公報
【発明の概要】
【発明が解決しようとする課題】
【０００５】
本発明の目的は、従来の種類の容器において、内側バッグに最後まで残存して吐出不能な容器内容物の残存量を低減させたものを開発することである。
【課題を解決するための手段】
【０００６】
本目的は、本発明の請求項１および４の特徴によって達成される。
本発明の有利な展開を、従属請求項によって特徴づける。
【発明の効果】
【０００７】
本発明の第１の原理によると、その内側バッグの壁厚は、交線領域における方が中間の周部位におけるより肉厚である。この壁厚プロフィールは、好ましくはその内側バッグの全高さに及ぶ。有利なことには、交線の両サイドの壁厚は、あらかじめ決められた周域に亘って実質的に一定で、この周域は両サイドで幅が等しく、連続的にもしくは急激に減厚するようにここに提供される。
【０００８】
本構造により、その内側バッグは、その収縮時に外側容器から選択的に離脱され、つまり肉厚を減じた周域が最初にバッグの一サイドで持ち上がり、ここでは離脱工程は、厚さを減じていない部位に生じる前に、向い合った肉厚を減じた周域に生じる。この選択的畳み込み工程により、上記で定義した平面領域において、向い合った壁域が互いに静止するまで内側バッグは両サイドで実質同程度に離脱することとなる。これにより、結果的に内側バッグに残存する吐出不能な残存量は、極めて少量のみとなる。
【０００９】
ここで内側バッグは、実際共に2段階で畳み込まれ、離脱工程における形状は、内側バッグの壁厚により実質的に限定可能である。その内側バッグは、交線領域の壁厚を適宜選択することにより、両サイドの中間周域が完全に外側容器より離脱するまでといった長期にわたって外側容器に接着しており、続く第二の離脱工程も、中心面に対して実質的に対称に進行する。さらに、この構造により、結果として内側バッグ内の陰圧が小さくなって内側バッグにおける漏出や透過のリスクは低下することとなる。
【００１０】
交線領域から薄肉化した部位への壁厚の変化を、ほとんど急激とすることが可能であり、すなわち、壁厚は、極めて狭い範囲において減肉化される。したがって続く周域はここで、薄肉化して一定の厚さを備える。しかし、その内側バッグ壁もまた、連続的に小値にまで減厚してもよく、それは底部溶着継ぎ目面より略９０°ずれる。
【００１１】
しかしながら、内側バッグの壁厚を、交線から始めて連続的に減厚させることも本発明の範囲内にある。これもまた内側バッグの実質的に対称的な畳み込みを達成する。
【００１２】
本発明の異なる態様の１つとして、内側バッグの壁は、少なくともその周上の４ヶ所にリブ様の厚肉化した部位を有し、前記厚肉化したリブ様部位は、その底部溶着継ぎ目の面に対して対を成して対称に配置される。この厚肉化部位は全て、近傍の交線から等距離にある。
【００１３】
厚肉化したリブ様部位は別として、その内側バッグの壁厚は、周方向に、もしくは交線領域から近傍の二ヶ所の厚肉化部位まで、一定であってよく、外側容器からの離脱工程が始まる他の２領域より肉厚であってよい。ここで厚肉化部位は、その内側の輪郭が円弧状でもよい。
【００１４】
寸法を適宜選択することで、これはとりわけ容器サイズ、容器の形状、および使用される材料によるが、離脱工程を、第一段階として二サイドの各リブ様厚肉化部位までのみ進行させることも可能である。容器の内容物をさらに分注する際に、その内側バッグは、そのリブ様厚肉化部位も続く周域も、その外側容器壁から持ち上がり、底部溶着継ぎ目の面領域内にある外側容器中央で扁平に畳み込まれる。この場合にも、内側バッグ内には、容器から吐出不能な内容液残存量の極めて少量が残存するのみである。
【００１５】
上記したように、内側バッグの各部位における肉厚を選択することは、さまざまな要素によって決まるが、とりわけ、容器のサイズおよび形ならびに使用される材料による。外側容器の材料としては、例えば透明容器にはポリエチレンテレフタレート（ＰＥＴ）およびポリシクロヘキシレンジメチレンテレフタレート（ＰＣＴＧ）が、不透明容器にはポリオレフィンや他の熱可塑性プラスチック材料が適当である。その際に、内側バッグは単層でも多層でもよく、例えば、サーリン（ＳＵＲＬＹＮ）、エチレン―ビニルアルコール共重合樹脂（ＥＶＯＨ）、サーリンからなる三層の内側バッグであってもよい。横断面を見ると、容器は、周囲が円形でもよいが、楕円もしくは矩形でもよい。ここで、その円柱形状の場合において、対称的な離脱工程に、これまでで最も大きな問題が生じている。
【００１６】
上記の第一の発展形において、例えばその内側バッグは、０．１５ｍｍ乃至０．２５ｍｍの肉厚を有してもよく、また単なる例として、各層が０．０５ｍｍ厚さで、中間接着層（これも０．０５ｍｍ）のある三材料層からなってもよい。これが底部溶着継ぎ目から広がる中心面領域の肉厚であるなら、最も薄肉化した部分の壁厚は、例えば０．０５ｍｍ乃至０．０８ｍｍと薄肉化してもよい。
【００１７】
第二の発展形において、その内側バッグの壁厚は、例えば、周囲に亘って０．１５ｍｍと一定で、そのリブ上では、０．２ｍｍ乃至０．２５ｍｍとしてもよい。
そのリブの構造は、底部溶着継ぎ目の構造に悪影響を及ぼさないことが見出されており、ここで内側バッグは緊密に閉じられることとなる。
【００１８】
圧力補正開口部は、ここでは好ましくは外側容器の底部位もしくは肩部位に設けられるが、原則的には外側容器の周壁に設置してもよい。圧力補正開口部は、有利には交線から９０°ずれている。しかし本発明は、これに限定されるものではなく、例えば、周上に離れて配置されたそれぞれのサイドの圧力補正開口部は、それぞれ交線から対をなして略８０°ずれて、二つが提供されてもよい。複数の圧力補正開口部を、底部溶着継ぎ目のそれぞれのサイドに、対に向かい合って間隔をあけて形成してもよい。
本発明の容器はまた、その圧力補正開口部を、外側容器の望ましい場所の何処に形成してもよいので、いわゆる広口容器としてもよい。
【図面の簡単な説明】
【００１９】
【図１】内側バッグを有する容器の縦断面である。
【図２Ａ】リブ様厚肉化部位を備えた内側バッグを有する実施態様である。
【図２Ｂ】リブ様厚肉化部位を備えた内側バッグを有する実施態様である。
【図２Ｃ】リブ様厚肉化部位を備えた内側バッグを有する実施態様である。
【図３Ａ】交線に補強部位を有する実施態様である。
【図３Ｂ】交線に補強部位を有する実施態様である。
【図３Ｃ】交線に補強部位を有する実施態様である。
【発明を実施するための形態】
【００２０】
本発明のさらなる詳細を、以下の本発明の実施態様２例の記載により明確化する。
【００２１】
図１に示す容器は、容器の頚部２および肩部３を有する。容器開口部４は、そこに容器内容物を吐出するためのポンプを取り付けてもよいが、本発明はこれに限定されるものではない。本容器は、圧搾ボトルとして設計してもよく、その場合には、内容物を吐出させるために本容器壁を手で圧搾することも可能である。本容器はまた、全く肩域の無い、いわゆる広口容器としてもよい。
【００２２】
容器の底部には、好ましくは、ブロー金型が閉じられることによって横断面では略凧状形の突出ウェブが形成され、図の下方部位に示すように、内側バッグの圧搾切除された二つの材料層が、ウェブの金型キャビティにおいて切除部分から若干上方に退くために、外側容器の材料層が互いに密着する部位が形成される。圧搾切除操作時に形成された内側バッグの溶着継ぎ目は、ウェブ５の上部位にクランプされ、こうして軸方向に固定される。
【００２３】
図２Ａは、第一の実施態様における最初の状態を示し、内側バッグ６は、その周囲全てが外側容器７の内側に配置されている。参照番号８は、容器の底部溶着継ぎ目および中心縦軸を通って広がる平面を表す。内側バッグ６は、４ヶ所の厚肉化したリブ様部位９を除き一定の壁厚を有する。このリブ様部分の内側の輪郭は、横断面を見ると円弧状であり、平面８と外側容器７（および内側バッグ６）との交線１０から周上の距離が等しい。参照番号１４は、２つの圧力補正開口部の概略である。
【００２４】
内側バッグ６は、容器内容物を吐出する際に、１１と表した領域において最初に両サイドが（大部分は順序どおりに）外側容器壁７から、すなわちリブ様厚肉化部位９まで離脱する。これは、内側バッグ６の壁厚を適宜選択することにより達成される。
【００２５】
容器内容物を更に吐出することにより、図２Ｃで示す構造を生じ、ここではその内側バッグ１は、交線１０周辺の狭小な部分１２でのみ、外側容器７と橋脚形に留まる。その内側バッグの離脱工程は、その中心面に対して実質的に対称に進行する。
【００２６】
図３Ａ乃至３Ｃに示す実施態様では、内側バッグ６の壁厚を、交線領域１０から９０°ずれた交線１３まで連続的に減厚する。壁厚プロフィールを周方向に適宜選択することにより、また、向い合った周部位１１二ヶ所が最初に外側容器から離脱し、その際離脱工程は図３Ｃで示す状態にまで継続し、そこではきわめて狭小な向い合った周部位１２のみが外側容器７に再び接着する結果となる。
【００２７】
その内側バッグに充填する前に、バッグを、陰圧負荷により外側容器７から部分的に離脱させ、次に陽圧負荷により再び外側容器壁に収める。この先行する離脱工程を、同様に進行させる。
【００２８】
本発明は、記載された実施態様や図示された実施態様に限定されないことに注目すべきである。むしろ、実施態様３例に開示された特徴全てを、上記したものとは異なった様式で、相互に結合することも可能である。
【図１】
2013529580.tif 000003
【図２Ａ】
2013529580.tif 000004
【図２Ｂ】
2013529580.tif 000005
【図２Ｃ】
2013529580.tif 000006
【図３Ａ】
2013529580.tif 000007
【図３Ｂ】
2013529580.tif 000008
【図３Ｃ】
2013529580.tif 000009
【国際調査報告】
2013529580.tif 000010
2013529580.tif 000011
2013529580.tif 000012
2013529580.tif 000013